【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
水の浸入を制御するように動作可能な、石油およびガス貯留層からの炭化水素の生産のための装置であって、
多層管であって、
外部パイプ層と、
前記外部パイプ層の内部に長手方向に整列する内部パイプ層と、
前記外部パイプ層と前記内部パイプ層との間の親水性複合材料と、を含む、多層管を備え、
前記親水性複合材料は、砂、シルト、および粘土、ならびにそれらの混合物から成る群から選択され、
前記複合材料は、化学的に非反応性であり、
前記複合材料は、水の存在下で膨潤し、炭化水素を吸収せず、そして水にさらされると前記内部パイプ層のうちの少なくとも一部分を覆う、水に対して不透過性の障壁を形成するように膨潤するように動作可能であるような、吸収特性を有し、
前記複合材料は、六角形、八角形、十字形、および星形からなる群から選択される断面形状を有する成形粒子に形成される、装置。
【請求項２】
前記内部パイプ層および前記外部パイプ層は、中実壁部材である、請求項１に記載の装置。
【請求項３】
前記複合材料は、石油およびガス貯留層の透過性以上の開始透過性を有する、請求項１乃至２のいずれかに記載の装置。
【請求項４】
前記外部パイプ層および前記内部パイプ層は、前記炭化水素が通過することができる穴を有する請求項３に記載の装置。
【請求項５】
水の浸入を制御しつつ石油およびガス貯留層から炭化水素を生産する方法であって、
（ａ）多層管を提供するステップであって、前記多層管は、外部パイプ層と、前記外部パイプ層の内部に長手方向に整列する内部パイプ層と、を含む、ステップと、
（ｂ）砂、シルト、および粘土、ならびにそれらの混合物から成る群から親水性複合材料を選択するステップであって、前記複合材料は、化学的に非反応性であり、前記複合材料は、水の存在下で膨潤し、炭化水素を吸収しないような、そして水にさらされると前記内部パイプ層のうちの少なくとも一部分を覆って、水に対して不透過性の障壁を形成するように膨潤するように動作可能であるような、吸収特性を有し、前記複合材料は、六角形、八角形、十字形、および星形からなる群から選択される断面形状を有する成形粒子に形成される、ステップと、
（ｃ）前記外部パイプ層と前記内部パイプ層との間の空間に前記複合材料を追加するステップと、
（ｄ）前記多層管を石油およびガス貯留層に接触する石油およびガス生産坑井の内部に位置付けるステップと、を含む、方法。
【請求項６】
前記複合材料を追加する前記ステップは、予備成形によって実施される、請求項５に記載の方法。
【請求項７】
前記内部パイプ層および前記外部パイプ層は、中実壁部材であり、
ステップ（ｂ）は、前記多層管が坑井の内部に位置付けられた時に、完全に水に対して不透過性の複合材料を選択することをさらに含む、請求項５乃至６のいずれかに記載の方法。
【請求項８】
前記外部パイプ層および前記内部パイプ層は、流体が通過できる穴を有し、
ステップ（ｂ）は、石油およびガス貯留層の透過性以上の開始透過性を有する複合材料を選択することをさらに含む、請求項５乃至７のいずれかに記載の方法。
【請求項９】
ステップ（ｄ）は、前記多層管を前記坑井の内部の有孔ケーシング内に位置付けることと、炭化水素を前記多層管の内部に輸送することと、をさらに含む、請求項５乃至８のいずれかに記載の方法。
【請求項１０】
ステップ（ｄ）は、生産管類を前記多層管の内部に位置付けることをさらに含む、請求項５乃至９のいずれかに記載の方法。
【請求項１１】
水の浸入を制御するように動作可能な、石油およびガス貯留層からの炭化水素の生産のためのシステムであって、
ａ．請求項３に記載の装置と、
ｂ．前記請求項３に記載の装置を取り囲む有孔ケーシングと、備え、
前記請求項３に記載の装置が、炭化水素を輸送するように動作可能である、システム。
【請求項１２】
生産管類を前記請求項３に記載の内部に位置付けることをさらに備える、請求項１１に記載のシステム。
【手続補正２】
【補正対象書類名】明細書
【補正対象項目名】００４１
【補正方法】変更
【補正の内容】
【００４１】
本願を通じて、特許または公開文献が参照される箇所では、これらの参照の全体の開示は、これらの参照が本願における記述と矛盾する場合を除き、本発明に係る技術をより完全に説明するために、参照により本願に組み込まれることが意図される。
以下に、本発明の概念を示す。
［概念１］
地下貯留層からの炭化水素の生産において有用なパイプへの水の浸入を制御するための装置であって、
多層管であって、
外部パイプ層と、
前記外部パイプ層の内部に長手方向に整列し、中央チャンバーを画定する内部パイプ層と、
前記外部パイプ層と前記内部パイプ層との間の親水性複合材料と、を含む、多層管を備え、
前記複合材料は、砂、シルト、および粘土、ならびにそれらの混合物から成る群から選択され、
前記複合材料は、水と化学反応せず、
前記複合材料は、前記複合材料が水の存在下で膨潤するように吸収性を有し、炭化水素を吸収せず、水にさらされると前記内部パイプ層のうちの少なくとも一部分を覆う、水に対して不透過性の障壁を形成するように機能する、装置。
［概念２］
前記内部パイプ層および外部パイプ層は、中実壁部材である、概念１に記載の装置。
［概念３］
前記複合材料は、石油およびガス貯留層の透過性以上の開始透過性を有する、概念１乃至２のいずれかに記載の装置。
［概念４］
前記多層管を取り囲む有孔ケーシングをさらに備え、前記多層管は、前記中央チャンバーを通じて生産流体を運搬する、概念１乃至３のいずれかに記載の装置。
［概念５］
前記多層管の前記中央チャンバーの内部に存在する生産管類をさらに備える、概念１乃至４のいずれかに記載の装置。
［概念６］
前記外部パイプ層および内部パイプ層は両方とも有孔であり、前記多層管は、炭化水素が前記外部および内部パイプ層を横断して前記中央チャンバーへと流れることを可能にするように機能可能である、概念１乃至５のいずれかに記載の装置。
［概念７］
前記複合体は、成形粒子をさらに含む、概念１乃至６のいずれかに記載の装置。
［概念８］
前記成形粒子の形状は、六角形、八角形、十字形、および星形から成る群から選択される、概念７に記載の装置。
［概念９］
地下貯留層からの炭化水素の生産において有用なパイプへの水の浸入を制御するための方法であって、
（ａ）多層管を提供するステップであって、前記多層管は、外部パイプ層と、前記外部パイプ層の内部に長手方向に整列する内部パイプ層と、を含み、中央チャンバーを画定する、ステップと、
（ｂ）砂、シルト、および粘土、ならびにそれらの混合物から成る群から親水性複合材料を選択するステップであって、前記複合材料は、水と化学反応せず、前記複合材料は、前記材料が水の存在下で膨潤し、炭化水素を吸収しないような、そして水にさらされると前記複合材料が前記内部パイプ層のうちの少なくとも一部分を覆う、水に対して不透過性の障壁を形成するように機能するような、吸収性を有する、ステップと、
（ｃ）前記外部パイプ層と前記内部パイプ層との間の空間に前記複合材料を追加するステップと、
（ｄ）前記多層管を坑井の内部に位置付けるステップと、を含む、方法。
［概念１０］
前記複合材料を追加する前記ステップは、浸漬、浴、ダンピング、充填、および予備成形から成る群から選択される方法によって実施される、概念９に記載の方法。
［概念１１］
前記内部パイプ層および外部パイプ層は、中実壁部材である、概念９乃至１０のいずれかに記載の方法。
［概念１２］
前記外部パイプ層および内部パイプ層は、両方とも有孔であり、前記多層管は、炭化水素が前記外部および内部パイプ層を横断して前記中央チャンバーへと流れることを可能にするように機能可能であり、ステップ（ｂ）は、石油およびガス貯留層の透過性以上の開始透過性を有する複合材料を選択することをさらに含む、概念９乃至１１のいずれかに記載の方法。
［概念１３］
ステップ（ｄ）は、前記多層管を前記坑井の内部の有孔ケーシング内に位置付けることと、生産流体を前記多層管の前記中央チャンバーの内部に輸送することと、をさらに含む、概念９乃至１２のいずれかに記載の方法。
［概念１４］
前記方法は、生産管類を前記多層管の中央チャンバーの内部に位置付けることと、生産流体を前記多層管の内部に輸送することと、をさらに含む、概念９乃至１３のいずれかに記載の方法。
［概念１５］
ステップ（ｂ）は、成形粒子を持つ複合材料を選択することをさらに含み、前記成形粒子の前記形状は、六角形、八角形、十字形、および星形から成る群から選択される、概念９乃至１４のいずれかに記載の方法。